【手続補正書】
【提出日】平成31年1月31日(2019.1.31)
【手続補正１】
【補正対象書類名】特許請求の範囲
【補正対象項目名】全文
【補正方法】変更
【補正の内容】
【特許請求の範囲】
【請求項１】
搬送される用紙上に形成された画像を読み取る読取部を備える画像読取装置において、
前記読取部の読取位置よりも搬送方向下流側に設けられ、搬送される用紙を前記読取部の読取面に向けて押す下流側押部と、
前記用紙の先端から前記用紙上に形成される印字位置測定用の基準画像までの距離が、前記読取部の読取位置から前記下流側押部までの距離よりも短くなるように、前記基準画像の印字位置を設定する印字位置設定部と、
を備えることを特徴とする画像読取装置。
【請求項２】
搬送される用紙上に形成された画像を読み取る読取部を備える画像読取装置において、
前記読取部の読取位置よりも搬送方向上流側に設けられ、搬送される用紙を前記読取部の読取面に向けて押す上流側押部と、
前記用紙の後端から前記用紙上に形成される印字位置測定用の基準画像までの距離が、前記読取部の読取位置から前記上流側押部までの距離よりも短くなるように、前記基準画像の印字位置を設定する印字位置設定部と、
を備えることを特徴とする画像読取装置。
【請求項３】
前記下流側押部は、下流コロとして設けられることを特徴とする請求項１に記載の画像読取装置。
【請求項４】
前記下流側押部は、上下動可能に構成されることを特徴とする請求項１又は３に記載の画像読取装置。
【請求項５】
前記上流側押部は、上流コロとして設けられることを特徴とする請求項２に記載の画像読取装置。
【請求項６】
前記上流側押部は、上下動可能に構成されることを特徴とする請求項２又は５に記載の画像読取装置。
【請求項７】
前記印字位置設定部は、画像形成条件に基づいて、前記基準画像の印字位置を設定することを特徴とする請求項１〜６のいずれか一項に記載の画像読取装置。
【請求項８】
前記印字位置設定部は、前記用紙の紙種に基づいて、前記基準画像の印字位置を設定することを特徴とする請求項７に記載の画像読取装置。
【請求項９】
第１の種類の用紙と、前記第１の種類の用紙よりも坪量が大きい第２の種類の用紙を搬送可能であり、
前記第２の種類の用紙における前記基準画像の印字位置は、前記第１の種類の用紙における前記基準画像の印字位置よりも、用紙の内側寄りとなるように設定されることを特徴とする請求項８に記載の画像読取装置。
【請求項１０】
前記印字位置設定部は、前記紙種が所定の紙種であった場合に、自動的に又はユーザー操作による手動設定に基づいて、前記基準画像の印字位置を設定することを特徴とする請求項８又は９に記載の画像読取装置。
【請求項１１】
前記印字位置設定部は、前記用紙の画像印字領域に基づいて、前記基準画像の印字位置を設定することを特徴とする請求項７に記載の画像読取装置。
【請求項１２】
前記印字位置設定部は、前記画像印字領域が狭いほど、前記基準画像の印字位置を前記用紙の内側に設定することを特徴とする請求項１１に記載の画像読取装置。
【請求項１３】
前記印字位置設定部は、前記用紙のサイズ、前記用紙に形成される画像のサイズ、印字倍率及び印字位置に基づいて前記画像印字領域を算出し、当該算出した画像印字領域に基づいて前記基準画像の印字位置を設定することを特徴とする請求項１１又は１２に記載の画像読取装置。
【請求項１４】
画像データに基づく画像を形成する画像形成部と、
前記画像形成部により用紙上に形成された画像を読み取る読取部と、
前記読取部の読取位置よりも搬送方向下流側に設けられ、搬送される用紙を前記読取部の読取面に向けて押す下流側押部と、
前記用紙の先端から前記用紙上に形成される印字位置測定用の基準画像までの距離が、前記読取部の読取位置から前記下流側押部までの距離よりも短くなるように、前記基準画像の印字位置を設定する印字位置設定部と、
を備えることを特徴とする画像形成装置。
【請求項１５】
画像データに基づく画像を形成する画像形成部と、
前記画像形成部により用紙上に形成された画像を読み取る読取部と、
前記読取部の読取位置よりも搬送方向上流側に設けられ、搬送される用紙を前記読取部の読取面に向けて押す上流側押部と、
前記用紙の後端から前記用紙上に形成される印字位置測定用の基準画像までの距離が、前記読取部の読取位置から前記上流側押部までの距離よりも短くなるように、前記基準画像の印字位置を設定する印字位置設定部と、
を備えることを特徴とする画像形成装置。
【手続補正２】
【補正対象書類名】明細書
【補正対象項目名】０００７
【補正方法】変更
【補正の内容】
【０００７】
請求項１に記載の発明は、上記目的を達成するためになされたものであり、
搬送される用紙上に形成された画像を読み取る読取部を備える画像読取装置において、
前記読取部の読取位置よりも搬送方向下流側に設けられ、搬送される用紙を前記読取部の読取面に向けて押す下流側押部と、
前記用紙の先端から前記用紙上に形成される印字位置測定用の基準画像までの距離が、前記読取部の読取位置から前記下流側押部までの距離よりも短くなるように、前記基準画像の印字位置を設定する印字位置設定部と、
を備えることを特徴とする。
請求項２に記載の発明は、
搬送される用紙上に形成された画像を読み取る読取部を備える画像読取装置において、
前記読取部の読取位置よりも搬送方向上流側に設けられ、搬送される用紙を前記読取部の読取面に向けて押す上流側押部と、
前記用紙の後端から前記用紙上に形成される印字位置測定用の基準画像までの距離が、前記読取部の読取位置から前記上流側押部までの距離よりも短くなるように、前記基準画像の印字位置を設定する印字位置設定部と、
を備えることを特徴とする。
請求項３に記載の発明は、請求項１に記載の画像読取装置において、
前記下流側押部は、下流コロとして設けられることを特徴とする。
請求項４に記載の発明は、請求項１又は３に記載の画像読取装置において、
前記下流側押部は、上下動可能に構成されることを特徴とする。
請求項５に記載の発明は、請求項２に記載の画像読取装置において、
前記上流側押部は、上流コロとして設けられることを特徴とする。
請求項６に記載の発明は、請求項２又は５に記載の画像読取装置において、
前記上流側押部は、上下動可能に構成されることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
請求項７に記載の発明は、請求項１〜６のいずれか一項に記載の画像読取装置において、
前記印字位置設定部は、画像形成条件に基づいて、前記基準画像の印字位置を設定することを特徴とする。
【手続補正５】
【補正対象書類名】明細書
【補正対象項目名】００１０
【補正方法】変更
【補正の内容】
【００１０】
請求項８に記載の発明は、請求項７に記載の画像読取装置において、
前記印字位置設定部は、前記用紙の紙種に基づいて、前記基準画像の印字位置を設定することを特徴とする。
請求項９に記載の発明は、請求項８に記載の画像読取装置において、
第１の種類の用紙と、前記第１の種類の用紙よりも坪量が大きい第２の種類の用紙を搬送可能であり、
前記第２の種類の用紙における前記基準画像の印字位置は、前記第１の種類の用紙における前記基準画像の印字位置よりも、用紙の内側寄りとなるように設定されることを特徴とする請求項８に記載の画像読取装置。
【手続補正６】
【補正対象書類名】明細書
【補正対象項目名】００１１
【補正方法】変更
【補正の内容】
【００１１】
請求項１０に記載の発明は、請求項８又は９に記載の画像読取装置において、
前記印字位置設定部は、前記紙種が所定の紙種であった場合に、自動的に又はユーザー操作による手動設定に基づいて、前記基準画像の印字位置を設定することを特徴とする。
【手続補正７】
【補正対象書類名】明細書
【補正対象項目名】００１２
【補正方法】変更
【補正の内容】
【００１２】
請求項１１に記載の発明は、請求項７に記載の画像読取装置において、
前記印字位置設定部は、前記用紙の画像印字領域に基づいて、前記基準画像の印字位置を設定することを特徴とする。
【手続補正８】
【補正対象書類名】明細書
【補正対象項目名】００１３
【補正方法】変更
【補正の内容】
【００１３】
請求項１２に記載の発明は、請求項１１に記載の画像読取装置において、
前記印字位置設定部は、前記画像印字領域が狭いほど、前記基準画像の印字位置を前記用紙の内側に設定することを特徴とする。
【手続補正９】
【補正対象書類名】明細書
【補正対象項目名】００１４
【補正方法】変更
【補正の内容】
【００１４】
請求項１３に記載の発明は、請求項１１又は１２に記載の画像読取装置において、
前記印字位置設定部は、前記用紙のサイズ、前記用紙に形成される画像のサイズ、印字倍率及び印字位置に基づいて前記画像印字領域を算出し、当該算出した画像印字領域に基づいて前記基準画像の印字位置を設定することを特徴とする。
【手続補正１０】
【補正対象書類名】明細書
【補正対象項目名】００１５
【補正方法】変更
【補正の内容】
【００１５】
請求項１４に記載の発明は、
画像形成装置において、
画像データに基づく画像を形成する画像形成部と、
前記画像形成部により用紙上に形成された画像を読み取る読取部と、
前記読取部の読取位置よりも搬送方向下流側に設けられ、搬送される用紙を前記読取部の読取面に向けて押す下流側押部と、
前記用紙の先端から前記用紙上に形成される印字位置測定用の基準画像までの距離が、前記読取部の読取位置から前記下流側押部までの距離よりも短くなるように、前記基準画像の印字位置を設定する印字位置設定部と、
を備えることを特徴とする。
請求項１５に記載の発明は、
画像形成装置において、
画像データに基づく画像を形成する画像形成部と、
前記画像形成部により用紙上に形成された画像を読み取る読取部と、
前記読取部の読取位置よりも搬送方向上流側に設けられ、搬送される用紙を前記読取部の読取面に向けて押す上流側押部と、
前記用紙の後端から前記用紙上に形成される印字位置測定用の基準画像までの距離が、前記読取部の読取位置から前記上流側押部までの距離よりも短くなるように、前記基準画像の印字位置を設定する印字位置設定部と、
を備えることを特徴とする。